(57)【要約】【課題】仮設階段の踏板部として利用可能でありながらも、交換用の化粧踏板を安定的に固定し得る踏板下地材及びこれを用いた好適な踏板施工方法を提供する。【解決手段】化粧踏板１６が上面に取り付けられる踏板下地材１０であって、前記上面には、階段幅方向に延びるように塗布される接着剤３の塗布部１１の奥行方向両側を区画する一対の目印ライン部１２，１２が奥行方向に間隔を空けて複数箇所に設けられている。【選択図】図１
2018035512.tif 000002
【特許請求の範囲】
【請求項１】
化粧踏板が上面に取り付けられる踏板下地材であって、
前記上面には、階段幅方向に延びるように塗布される接着剤の塗布部の奥行方向両側を区画する一対の目印ライン部が奥行方向に間隔を空けて複数箇所に設けられていることを特徴とする踏板下地材。
【請求項２】
請求項１において、
前記一対の目印ライン部は、上方側に向けて開口するように設けられた一対の目印溝部であることを特徴とする踏板下地材。
【請求項３】
請求項１または２において、
前記接着剤の塗布部となる前記一対の目印ライン部間の上面を、他の部位の上面よりも低くしたことを特徴とする踏板下地材。
【請求項４】
請求項１乃至３のいずれか１項に記載の踏板下地材を用いた踏板施工方法であって、
前記踏板下地材の上面の複数箇所に設けられた前記一対の目印ライン部間の塗布部の一つ置きに接着剤を塗布して化粧踏板を固定することを特徴とする踏板施工方法。
【発明の詳細な説明】
【技術分野】
【０００１】
本発明は、踏板下地材及びこれを用いた踏板施工方法に関する。
【背景技術】
【０００２】
従来より、ささら桁（側桁）等の階段下地に固定され、階段を構成する踏板が知られている。このような踏板を施工した後に、内装工事を継続する際には、踏板の化粧面に傷が付かないように念入りに養生する必要があった。
例えば、下記特許文献１には、踏み板下地材の上面に化粧材を位置決めするための２つの溝を設け、化粧材の下面に踏み板下地材の溝に嵌合されるリブを設けた構成とされた階段が開示されている。
【先行技術文献】
【特許文献】
【０００３】
【特許文献１】特開平１０−１４０７７５号公報
【発明の概要】
【発明が解決しようとする課題】
【０００４】
しかしながら、上記特許文献１に記載された階段では、化粧材の下面及び踏み板下地材の上面の少なくとも一方に接着剤を塗布し、踏み板下地材に化粧材を固定する構成とされている。そのため、リフォーム等によって化粧材を交換するために化粧材を剥がす際に、接着剤によって踏み板下地材の上面側が大きく剥離してしまうことが考えられ、更なる改善が望まれる。
【０００５】
本発明は、上記実情に鑑みてなされたものであり、仮設階段の踏板部として利用可能でありながらも、交換用の化粧踏板を安定的に固定し得る踏板下地材及びこれを用いた好適な踏板施工方法を提供することを目的としている。
【課題を解決するための手段】
【０００６】
上記目的を達成するために、本発明に係る踏板下地材は、化粧踏板が上面に取り付けられる踏板下地材であって、前記上面には、階段幅方向に延びるように塗布される接着剤の塗布部の奥行方向両側を区画する一対の目印ライン部が奥行方向に間隔を空けて複数箇所に設けられていることを特徴とする。
【０００７】
また、上記目的を達成するために、本発明に係る踏板施工方法は、本発明に係る踏板下地材を用いた踏板施工方法であって、前記踏板下地材の上面の複数箇所に設けられた前記一対の目印ライン部間の塗布部の一つ置きに接着剤を塗布して化粧踏板を固定することを特徴とする。
【発明の効果】
【０００８】
本発明に係る踏板下地材は、上述のような構成としたことで、仮設階段の踏板部として利用可能でありながらも、交換用の化粧踏板を安定的に固定することができる。また、本発明に係る踏板施工方法は、この踏板下地材を用いて効果的に踏板を施工することができる。
【図面の簡単な説明】
【０００９】
【図１】（ａ）〜（ｃ）は、本発明の一実施形態に係る踏板下地材及びこれを用いた踏板施工方法の一例を模式的に示す一部破断概略縦断面図である。
【図２】（ａ）、（ｂ）は、同踏板下地材を模式的に示す一部破断概略側面図である。
【図３】（ａ）〜（ｃ）は、同踏板下地材を用いた化粧踏板交換方法の一例を模式的に示す一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、設置された踏板下地材（踏板）に対して階下側から対面した状態を基準として、手前側を前方、その逆側を後方とし、この前後方向を踏板下地材の奥行方向とし、また、設置された状態を基準として上下方向等の方向を説明する。
【００１１】
図１〜図３は、本実施形態に係る踏板下地材及びこれを用いた踏板施工方法の一例を模式的に示す図である。
本実施形態に係る踏板下地材１０は、図１及び図２に示すように、化粧踏板１６が上面に取り付けられる構成とされている。この踏板下地材１０は、図２（ｂ）に示すように、住居等の建物内の階段の踏板１を構成し、階段幅方向両側端部がささら桁（側桁）等の階段下地２の上方側に向く下地面に載置されて固定される。また、この踏板下地材１０は、図２（ａ）に示すように、階段下地２に固定され、上面に化粧踏板１６が取り付けられていない状態において、建築作業中に作業者が昇降可能な仮設階段の踏板部を構成する。
【００１２】
また、この踏板下地材１０は、厚さ方向を上下方向に沿わせて配され、仮設階段の踏板部として利用可能なように適宜の強度を有している。また、この踏板下地材１０の平面視した形状は、当該踏板下地材１０が設けられる階段構造に応じて適宜の形状とされたものとしてもよい。例えば、直階段（ストレート階段）に配される場合には、階段を構成する複数枚の踏板下地材１０の全てを階段幅方向に長尺な略矩形平板状としてもよく、また、回り階段に配される場合には、回り部に配される踏板下地材１０を平面視して略三角形状や略正方形所等としてもよい。この踏板下地材１０の平面視した形状としては、上述に限られず、略台形状や略菱形状、略扇形状等、その他、種々の形状でもよい。
【００１３】
また、この踏板下地材１０の階段幅方向に沿う寸法は、上記のような種々の階段構造や設置される箇所の階段幅寸法に応じて適宜、設定されたものとしてもよい。この踏板下地材１０の階段幅方向に沿う寸法を、設置された状態における階段幅寸法（内法寸法）が６００ｍｍ以上となるような寸法としてもよく、好ましくは、上記階段幅寸法（内法寸法）が７５０ｍｍ以上となるような寸法としてもよい。また、この踏板下地材１０の奥行寸法は、設置される箇所や階段昇降時の歩行安定性等の観点から適宜、設定されたものとしてもよい。この踏板下地材１０の奥行寸法を、例えば、１５０ｍｍ以上としてもよく、好ましくは、２１０ｍｍ以上としてもよい。また、踏板下地材１０の厚さ寸法は、踏板下地材１０の支持構造等に応じて、また、踏板下地材１０の強度上の観点等から適宜、設定されたものとしてもよい。この踏板下地材１０の厚さ寸法を、２０ｍｍ以上としてもよく、好ましくは、３０ｍｍ以上としてもよい。また、この踏板下地材１０は、ねじや釘等の止具や、接着剤等によって階段下地２に固定されるものでもよい。
【００１４】
また、この踏板下地材１０の上面には、階段幅方向に延びるように塗布される接着剤３の塗布部１１の奥行方向両側を区画する一対の目印ライン部１２，１２が奥行方向に間隔を空けて複数箇所に設けられている。また、本実施形態では、接着剤３の塗布部１１となる一対の目印ライン部１２，１２間の上面を、他の部位の上面としての非塗布部１５よりも低くしている。つまり、各塗布部１１を、非塗布部１５よりも凹ませるように低くした構成としている。また、本実施形態では、一対の目印ライン部を、上方側に向けて開口するように設けられた一対の目印溝部１２，１２としている。
これら一対の目印溝部１２，１２は、階段幅方向に延びるように、階段幅方向の全体に亘って設けられ、かつ互いに平行状となるように設けられている。つまり、これら複数の一対の目印溝部１２，１２に奥行方向両側がそれぞれに区画された複数の塗布部１１は、階段幅方向に延びるように、階段幅方向の全体に亘って設けられ、かつ互いに平行状となるように設けられている。
【００１５】
また、各塗布部１１の奥行方向両側は、一対の目印溝部１２，１２のうちの一方の目印溝部１２の他方の目印溝部１２側の開口縁と、他方の目印溝部１２の一方の目印溝部１２側の開口縁と、によって区画される。各塗布部１１の階段奥行方向に沿う幅寸法、つまり、一対の目印溝部１２，１２間の階段奥行方向に沿う幅寸法は、階段幅方向に延びるように線状またはビード状に塗布される接着剤３の塗布が可能なように適宜の寸法としてもよい。本実施形態では、各塗布部１１の幅寸法が互いに略同寸法となるように一対の目印溝部１２，１２を設けた構成としている。つまり、各塗布部１１の階段奥行方向両側を区画する一対の目印溝部１２，１２間の幅寸法が互いに略同寸法とされている。
【００１６】
また、各非塗布部１５の奥行方向両側は、階段奥行方向に隣り合う塗布部１１（１３），１１（１４）を区画する一対の目印溝部１２，１２，１２，１２のうちの隣接する側の目印溝部１２，１２の反塗布部側の開口縁によって区画される。各非塗布部１５の階段奥行方向に沿う幅寸法、つまり、階段奥行方向に隣り合う塗布部１１，１１間の階段奥行方向に沿う幅寸法は、後記するように、塗布部１１，１１に一つ置きに塗布された接着剤３によって化粧踏板１６の固定が可能なように適宜の寸法としてもよい。本実施形態では、階段奥行方向に隣り合う塗布部１１，１１間の幅寸法が互いに略同寸法となるように一対の目印溝部１２，１２を設けた構成としている。つまり、各非塗布部１５の幅寸法が互いに略同寸法とされている。換言すれば、踏板下地材１０の上面に、階段奥行方向の全体に亘って、階段奥行方向に略等間隔を空けて複数の塗布部１１を設けた構成としている（図２（ａ）参照）。
【００１７】
また、本実施形態では、各塗布部１１の幅寸法を、各非塗布部１５の幅寸法よりも小としている。図例では、各塗布部１１の幅寸法を、各非塗布部１５の幅寸法の１／４程度とした例を示している。
また、各塗布部１１の各非塗布部１５からの踏板厚さ方向に沿う凹み寸法は、塗布される接着剤３の受け入れが可能なように、適宜の寸法としてもよい。本実施形態では、各塗布部１１の階段奥行方向両側に設けられた一対の目印溝部１２，１２にも接着剤３の受け入れが可能であるので、各塗布部１１の凹み寸法を比較的に小さい寸法としてもよい。また、このように各塗布部１１を、各非塗布部１５よりも凹ませた場合には、貼着された化粧踏板１６の上面に凹凸が形成され難いように、各塗布部１１の幅寸法を適宜の寸法としてもよい。
【００１８】
また、各目印溝部１２の階段奥行方向に沿う溝幅寸法や踏板厚さ方向に沿う溝深さ寸法は、踏板下地材１０の強度上の観点や、各塗布部１１を明瞭に区画する観点、接着剤３の受入性の観点等から適宜の寸法としてもよい。また、各目印溝部１２の溝深さ寸法（非塗布部１５からの踏板厚さ方向に沿う溝深さ寸法）は、上記した各塗布部１１の凹み寸法よりも大とすればよい。また、本実施形態では、各目印溝部１２の溝深さ寸法を、互いに略同寸法とし、各目印溝部１２の溝幅寸法を、互いに略同寸法としている。また、図例では、各目印溝部１２の溝深さ寸法を、各目印溝部１２の溝幅寸法よりも大とした例を示している。また、図例では、各目印溝部１２の溝深さ寸法を、各塗布部１１の幅寸法と略同寸法とした例を示している。また、図例では、各目印溝部１２を、溝長手方向に見て略Ｕ字溝状とした例を示しているが、略方形溝状や略Ｖ字溝状、略逆台形溝状、略半円溝状等、その他の形状としてもよい。
【００１９】
これら一対の目印溝部１２，１２間の塗布部１１に一つ置きに塗布された接着剤３を介して化粧踏板１６が踏板下地材１０の上面に固定される。つまり、図１及び図３において便宜的に交互に符号を付した塗布部１１（１３），１１（１４）のうちの例えば、一つ置きに設けられた第１塗布部１３に塗布された接着剤３を介して化粧踏板１６が踏板下地材１０の上面に固定される。または、交互に符号を付した塗布部１１（１３），１１（１４）のうちの一つ置きに設けられた第２塗布部１４に塗布された接着剤３を介して化粧踏板１６が踏板下地材１０の上面に固定される。つまりは、複数の塗布部１１の全てに接着剤３を塗布せずに、複数の塗布部１１に間欠的に塗布された接着剤３を介して化粧踏板１６が踏板下地材１０の上面に固定される。
【００２０】
また、この踏板下地材１０の前端部の下面側には、前方及び下方側に向けて開口するように切欠状の凹段部が設けられている。この凹段部は、踏板下地材１０が階段下地２に固定された状態で、前方側に向く段壁面が階段下地２の蹴込板１９が当接される前方側に向く下地面と略同一平面状となるように設けられている。
また、この凹段部や、上記した各目印溝部１２及び非塗布部１５よりも低く形成された各塗布部１１は、成形時に形成されたものでもよく、切削加工等によって形成されたものでもよい。
【００２１】
なお、踏板下地材１０は、木質系材料や、合成樹脂系材料、金属系材料等から形成されたものでもよい。木質系材料としては、例えば、合板やＬＶＬ（単板積層材）等の木質積層板や、パーティクルボード等の木質ボード、インシュレーションボードやＭＤＦ（中密度繊維板）、ハードボード等の木質繊維板等が挙げられる。また、木質系材料としては、木粉や合成樹脂系材料、無機フィラー、相溶化剤、着色剤などを所定の含有割合で含有させた木粉・プラスチック複合材（ＷＰＣ）でもよい。また、踏板下地材１０を、これら種々の材料からなる板材を積層した複層構造とされたものとしてもよく、例えば、合板等の基材の表裏両面側に、ＭＤＦ等を積層した構造とされたものとしてもよい。
【００２２】
化粧踏板１６は、厚さ方向を上下方向に沿わせて配される平板状とされ、厚さ寸法が踏板下地材１０の厚さ寸法よりも小とされている。この化粧踏板１６の厚さ寸法は、階段の踏板１としての強度が踏板下地材１０によって確保されることから、比較的に薄い寸法としてもよく、例えば、１．５ｍｍ〜５ｍｍ程度としてもよい。また、この化粧踏板１６の平面視した形状は、上述のように階段構造に応じて適宜の形状とされる踏板下地材１０の平面視した形状に応じた形状とされている。また、この化粧踏板１６の厚さ方向両面のうちの少なくとも下面は、平坦面状とされている。
本実施形態では、図２（ｂ）に示すように、踏板下地材１０の前端部の段鼻部に、踏板下地材１０の段鼻部の上面、前端面及び下面を覆う段鼻カバー材１７が取り付けられる構成とし、化粧踏板１６の奥行寸法を、踏板下地材１０の奥行寸法よりも小としている。つまり、踏板下地材１０の上面を、化粧踏板１６及び段鼻カバー材１７によって覆う構成としている。
【００２３】
段鼻カバー材１７は、踏板下地材１０の段鼻部を受け入れるように後方側に向けて開口する形状とされている。つまり、段鼻カバー材１７は、踏板下地材１０の段鼻部の上面を覆う上片部、該段鼻部の前端面を覆う前片部及び該段鼻部の下面を覆う下片部を有し、階段幅方向に沿う方向に見て、略コ字状（略Ｕ字状または略Ｃ字状）とされている。
この段鼻カバー材１７の上片部の後端部の上面側及び化粧踏板１６の前端部の上面側には、これら段鼻カバー材１７の上片部及び化粧踏板１６の前端部に跨るように固定される標示部材１８を受け入れる切欠状の凹段部が設けられている。つまり、段鼻カバー材１７の上片部の後端部の上面側の凹段部と化粧踏板１６の前端部の上面側の凹段部とによって上方側に向けて開口し、階段幅方向に延びる受入溝が区画され、この受入溝に標示部材１８が嵌め込まれるように固定される。この標示部材１８は、ねじや釘等の止具によって段鼻カバー材１７の上片部を介して踏板下地材１０に固定される取付本体と、この取付本体に設けられた取付溝に嵌め込まれる標示カバーと、を備えた構成とされたものでもよい。
【００２４】
また、図例では、上下に隣り合う踏板１，１間を覆うように蹴込板１９を設けた例を示している。この蹴込板１９は、厚さ方向を前後方向に沿わせて配される略矩形平板状とされている。また、この蹴込板１９は、下端面が下段側の踏板下地材１０の後端部上面に当接され、上端面が上段側の踏板下地材１０の前端部の凹段部の下方側に向く段底面に当接される。また、この蹴込板１９の下端部前面に、下段側の化粧踏板１６の後端面が当接され、この蹴込板１９の上端部前面に、上段側の段鼻カバー材１７の下片部の後端面が当接される。また、この蹴込板１９は、ねじや釘等の止具や、接着剤等によって階段下地２に固定される。
【００２５】
なお、化粧踏板１６、段鼻カバー材１７及び蹴込板１９は、上記同様な材料から形成されたものでもよく、また、突板や樹脂シート等の化粧シートの貼着や、塗装等によって適宜の化粧処理が施されて表面が化粧面とされたものでもよい。
また、踏板下地材１０を含む踏板１を、このような蹴込板１９を設けていない、いわゆるオープン階段（ストリップ階段）として施工されるものとしてもよい。この場合は、踏板下地材１０の前端部の下面側に、上記したような凹段部を設けていない構成としてもよい。
また、上記したような段鼻カバー材１７を設けずに、化粧踏板１６の前端部に一体的に段鼻部を覆う部位を設けたような態様等としてもよい。この場合は、化粧踏板１６の前端部に、標示部材１８を受け入れる受入溝を設けたような態様としてもよく、さらには、このような標示部材１８を設けていない構成としてもよい。踏板１及び階段を構成する踏板下地材１０以外の部材としては、その他、種々の変形が可能である。
【００２６】
次に、上記した踏板下地材１０を用いた本実施形態に係る踏板施工方法について説明する。
本実施形態に係る踏板施工方法は、図１（ａ）〜（ｃ）に示すように、踏板下地材１０の上面の複数箇所に設けられた一対の目印溝部１２，１２間の塗布部１１の一つ置きに接着剤３を塗布して化粧踏板１６を固定する構成とされている。図例では、踏板下地材１０の上面に奥行方向に間隔を空けて複数箇所に設けられた塗布部１１（１３），１１（１４）のうちの一つ置きに設けられた第１塗布部１３に塗布された接着剤３を介して化粧踏板１６を踏板下地材１０の上面に固定した例を示している。つまり、踏板下地材１０の上面に奥行方向に間隔を空けて複数箇所に設けられた塗布部１１（１３），１１（１４）のうちの一つ置きに設けられた第２塗布部１４には、接着剤３を塗布せずに、化粧踏板１６を踏板下地材１０の上面に固定した例を示している。この接着剤３としては、化粧踏板１６の固定強度の観点や、交換する際における剥がし易さの観点等から適宜の接着剤３を採用するようにしてもよい。
【００２７】
また、段鼻カバー材１７を固定し、標示部材１８を固定して踏板１を施工するようにしてもよい。
なお、上記のような蹴込板１９を設ける場合には、化粧踏板１６を固定する前に、蹴込板１９を固定するようにしてもよい。
また、このように施工された踏板１の化粧踏板１６を交換する際には、以下のようにしてもよい。
まず、図３（ａ）に示すように、既設の化粧踏板１６を剥がす。この際、上記のような標示部材１８を設けている場合には、標示部材１８を取り外した後に、既設の化粧踏板１６を剥がすようにしてもよい。
【００２８】
そして、図３（ｂ）に示すように、既設の化粧踏板１６を固定する際に接着剤３を塗布した箇所とは異なる箇所となる、塗布部１１（１３），１１（１４）のうちの一つ置きに設けられた第２塗布部１４に接着剤３Ａを塗布する。この接着剤３Ａは、上記した接着剤３と同様のものでもよい。
そして、第２塗布部１４に塗布された接着剤３Ａを介して交換用の新たな化粧踏板１６Ａを踏板下地材１０の上面に固定する。これにより、既設の化粧踏板１６が新たな化粧踏板１６Ａに交換される。
なお、上記した施工手順は、一例に過ぎず、その他、種々の変形が可能である。
【００２９】
本実施形態に係る踏板下地材１０は、上述のような構成としたことで、仮設階段の踏板部として利用可能でありながらも、交換用の化粧踏板１６Ａを安定的に固定することができる。
つまり、踏板下地材１０の上面に化粧踏板１６が取り付けられる構成としている。従って、当該踏板下地材１０を階段下地２に固定し、仮設階段の踏板部として利用することができる。これにより、建築作業中に念入りに養生する必要性を低減することができる。
また、当該踏板下地材１０の上面に、階段幅方向に延びるように塗布される接着剤３の塗布部１１の奥行方向両側を区画する一対の目印ライン部（目印溝部）１２，１２を奥行方向に間隔を空けて複数箇所に設けた構成としている。従って、これら一対の目印ライン部（目印溝部）１２，１２間の塗布部１１に接着剤３を塗布させることができ、例えば、踏板下地材１０の上面の概ね全面に亘って接着剤３が塗布されるようなことを抑制することができる。これにより、リフォーム等で化粧踏板１６を剥がした際に、踏板下地材１０の上面が大きく剥離されるようなことを抑制することができる。また、このような一対の目印ライン部（目印溝部）１２，１２を奥行方向に間隔を空けて複数箇所に設けているので、これらによって区画された複数箇所の塗布部１１に接着剤を塗布させることができ、化粧踏板１６を安定的に固定することができる。また、上述のように、交換用の化粧踏板１６Ａを固定する接着剤３Ａを、交換前の化粧踏板１６を固定する接着剤３が塗布された以外の部位に容易にかつ確実に塗布させることができ、交換用の化粧踏板１６Ａを安定的に固定することができる。
【００３０】
また、本実施形態では、一対の目印ライン部（目印溝部）１２，１２間の上面としての塗布部１１を、他の部位の上面としての非塗布部１５よりも低くしている。従って、非塗布部１５よりも低く形成された塗布部１１に接着剤３を受け入れさせることができ、硬化した接着剤３の厚さを吸収することができる。また、化粧踏板１６が載置された際に接着剤３の塗布面積が広がるようなことを抑制することもできる。また、摩耗による塗布部１１の消失等を生じ難くすることができる。なお、このような態様に代えて、塗布部１１と非塗布部１５とを略同一平面状としてもよい。
【００３１】
また、本実施形態では、一対の目印ライン部を、上方側に向けて開口するように設けられた一対の目印溝部１２，１２としている。従って、一対の目印溝部１２，１２間の塗布部１１に塗布された接着剤３の余剰分を目印溝部１２，１２において受け入れさせることができ、化粧踏板１６が載置された際に接着剤３の塗布面積が広がるようなことを抑制することができる。また、例えば、一対の目印ライン部を、マーカーや印刷等によって施されたラインとした場合と比べて、摩耗による消失等を生じ難くすることができる。また、これら複数箇所に設けられた一対の目印溝部１２，１２を、仮設階段の踏板部の上面の滑り止めとして機能させることもできる。
【００３２】
また、上記構成とされた本実施形態に係る踏板施工方法によれば、複数箇所に設けられた一対の目印ライン部（目印溝部）１２，１２間の塗布部１１の一つ置きに塗布した接着剤３によって化粧踏板１６を安定的に固定することができる。また、リフォーム等によって化粧踏板１６を剥がし、交換用の化粧踏板１６Ａを固定する際には、交換前の化粧踏板１６を固定する接着剤３が塗布された塗布部１１（第１塗布部１３）以外の塗布部１１（第２塗布部１４）の一つ置きに接着剤３Ａを塗布して安定的に固定することができる。また、交換前及び交換用のいずれの化粧踏板１６，１６Ａを固定する接着剤３，３Ａの塗布量も概ね同量に制御することができ、これら化粧踏板１６，１６Ａを安定的に、かつ効果的に固定することができる。
【００３３】
なお、上記では、踏板下地材１０の塗布部１１の一つ置きに塗布した接着剤３によって化粧踏板１６を固定する踏板施工方法を例示したが、このような態様に限られない。例えば、化粧踏板１６の耐用年数等を加味した交換頻度等に応じて、踏板下地材１０の塗布部１１の二つ置きに塗布した接着剤３によって化粧踏板１６を固定するようにしてもよく、その他、種々の変形が可能である。好ましくは、化粧踏板１６を交換する際に、交換前の化粧踏板１６を剥がし易く、交換用の化粧踏板１６Ａを安定的に固定可能なように、交換前後の化粧踏板１６，１６Ａを固定する接着剤３，３Ａの塗布部１１を異ならせるようにしてもよい。
【００３４】
また、本実施形態では、踏板下地材１０の上面側の塗布部１１を区画する一対の目印ライン部１２，１２を、一対の目印溝部とした例を示しているが、マーカーや印刷等によって施されたラインでもよい。また、上記のように、塗布部１１を非塗布部１５よりも凹ませるようにして塗布部１１全体を凹溝状とし、この凹溝部の溝幅方向両側の各内壁を一対の目印ライン部１２，１２として把握するようにしてもよい。また、上記した例では、踏板下地材１０の上面に、階段奥行方向に略等間隔を空けて複数の塗布部１１を設けた例を示しているが、隣接する塗布部１１，１１同士の間隔を異ならせた態様等としてもよい。塗布部１１及びこれを区画する一対の目印ライン部１２，１２としては、その他、種々の変形が可能である。
【符号の説明】
【００３５】
１０          踏板下地材
１１          塗布部（一対の目印ライン部間の上面）
１２          目印溝部（目印ライン部）
１５          非塗布部（他の部位の上面）
１６，１６Ａ  化粧踏板
３，３Ａ      接着剤
【図１】
2018035512.tif 000003
【図２】
2018035512.tif 000004
【図３】
2018035512.tif 000005